(57)【要約】【課題】従来の空気調和機では、端末装置を用いてユーザが外出先などから空気調和機の運転設定を変更したときに、空気調和機が配置される空調空間に別のユーザがいる場合、別のユーザが空気調和機が誤作動したと勘違いするおそれがある。【解決手段】この空気調和機の音声報知制御部（音声報知手段）は、空気調和機に付属されるリモコンと異なる端末装置から運転変更命令が供給された場合に（Ｓ１：Ｙｅｓ）、端末装置から供給される運転変更命令に応答して、端末装置から運転変更命令が供給されたことをメッセージで報知する（Ｓ３）。【選択図】図３
2015075305.tif 000002
【特許請求の範囲】
【請求項１】
空気調和機に付属されたリモコンと異なる端末装置から供給される運転変更命令に基づいて、運転設定が変更され得る空気調和機であって、
所定情報を音声で報知する音声報知手段を備え、
前記音声報知手段は、
前記端末装置から供給される運転変更命令に応答して、前記端末装置から運転変更命令が供給されたことをメッセージで報知することを特徴とする空気調和機。
【請求項２】
前記メッセージは、前記端末装置から供給される運転変更命令の内容を含むことを特徴とする請求項１に記載の空気調和機。
【請求項３】
前記音声報知手段は、
第１受信音を報知したあとで、前記メッセージを報知することを特徴とする請求項１または２に記載の空気調和機。
【請求項４】
前記音声報知手段は、前記リモコンから供給される運転変更命令に応答して、第２受信音を報知することが可能であり、
前記第１受信音と前記第２受信音とが異なることを特徴とする請求項３に記載の空気調和機。
【請求項５】
前記音声報知手段は、
前記端末装置から供給される運転変更命令が運転開始命令および運転停止命令の少なくとも一方である場合に、前記メッセージを報知することを特徴とする請求項１−４のいずれかに記載の空気調和機。
【請求項６】
空調空間にいる人を検知する人検知手段を備え、
前記音声報知手段は、
前記人検知手段で人が検知される場合に、前記メッセージを報知することを特徴とする請求項１−５のいずれかに記載の空気調和機。
【発明の詳細な説明】
【技術分野】
【０００１】
本発明は、空気調和機に付属されたリモコンと異なる端末装置から供給される運転変更命令に基づいて、運転設定が変更され得る空気調和機に関するものである。
【背景技術】
【０００２】
従来の空気調和機として、空気調和機に付属されたリモコンと異なる携帯電話などの端末装置を用いて、外出先などから空気調和機の運転設定を変更できるものがある。
【先行技術文献】
【特許文献】
【０００３】
【特許文献１】特開２００２−２４３２４９号公報
【発明の概要】
【発明が解決しようとする課題】
【０００４】
しかし、上記の空気調和機では、端末装置を用いてユーザが外出先などから空気調和機の運転設定を変更したときに、空気調和機が配置される空調空間に別のユーザがいる場合、別のユーザが空気調和機が誤作動したと勘違いするおそれがある。
【０００５】
そこで、本発明の目的は、空気調和機に付属されたリモコンと異なる端末装置を用いて空気調和機の運転設定が変更されたときに、その変更が空気調和機の誤作動と勘違いされるのを防止できる空気調和機を提供することである。
【課題を解決するための手段】
【０００６】
第１の発明にかかる空気調和機は、空気調和機に付属されたリモコンと異なる端末装置から供給される運転変更命令に基づいて、運転設定が変更され得る空気調和機であって、所定情報を音声で報知する音声報知手段を備え、前記音声報知手段は、前記端末装置から供給される運転変更命令に応答して、前記端末装置から運転変更命令が供給されたことをメッセージで報知することを特徴とする。
【０００７】
この空気調和機では、端末装置から運転変更命令が供給されたことがメッセージで報知されるので、空調空間にいるユーザは空気調和機の運転設定が端末装置によって変更されたものであることを認識できる。したがって、リモコンと異なる端末装置を用いて空気調和機の運転設定が変更されたときに、その変更が空気調和機の誤作動と勘違いされるのを防止できる。
【０００８】
第２の発明にかかる空気調和機は、第１の発明にかかる空気調和機において、前記メッセージは、前記端末装置から供給される運転変更命令の内容を含むことを特徴とする。
【０００９】
この空気調和機では、メッセージが運転変更命令の内容を含むので、空調空間にいるユーザが運転変更命令の内容を把握できる。
【００１０】
第３の発明にかかる空気調和機は、第１または第２の発明にかかる空気調和機において、前記音声報知手段は、第１受信音を報知したあとで、前記メッセージを報知することを特徴とする。
【００１１】
この空気調和機では、受信音が報知されたあとでメッセージが報知されるので、空気調和機から突然メッセージが報知されるのを防止できる。
【００１２】
第４の発明にかかる空気調和機は、第３の発明にかかる空気調和機において、前記音声報知手段は、前記リモコンから供給される運転変更命令に応答して、第２受信音を報知することが可能であり、前記第１受信音と前記第２受信音とが異なることを特徴とする。
【００１３】
この空気調和機では、リモコンから運転設定が変更された場合に報知される受信音と、端末装置から運転設定が変更された場合に報知される受信音とが異なるので、受信音を聞いただけで、空気調和機の運転設定が端末装置によって変更されたものであることが分かる。したがって、端末装置から空気調和機の運転設定が変更されたことをより認識しやすい。
【００１４】
第５の発明にかかる空気調和機は、第１−第４のいずれかの発明にかかる空気調和機において、前記音声報知手段は、前記端末装置から供給される運転変更命令が運転開始命令および運転停止命令の少なくとも一方である場合に、前記メッセージを報知することを特徴とする。
【００１５】
この空気調和機では、端末装置から運転開始命令および運転停止命令の少なくとも一方が供給された場合にメッセージが報知されるので、空調空間にいるユーザが特に誤作動と勘違いしやすい運転開始動作や運転停止動作が、端末装置によって操作されたものと認識できる。
【００１６】
第６の発明にかかる空気調和機は、第１−第５のいずれかの発明にかかる空気調和機において、空調空間にいる人を検知する人検知手段を備え、前記音声報知手段は、前記人検知手段で人が検知される場合に、前記メッセージを報知することを特徴とする。
【００１７】
この空気調和機では、ユーザが空調空間にいない場合に、メッセージが報知されるのを防止できるので、省エネできる。
【発明の効果】
【００１８】
以上の説明に述べたように、本発明によれば、以下の効果が得られる。
【００１９】
第１の発明では、端末装置から運転変更命令が供給されたことがメッセージで報知されるので、空調空間にいるユーザは空気調和機の運転設定が端末装置によって変更されたものであることを認識できる。したがって、リモコンと異なる端末装置を用いて空気調和機の運転設定が変更されたときに、その変更が空気調和機の誤作動と勘違いされるのを防止できる。
【００２０】
第２の発明では、メッセージが運転変更命令の内容を含むので、空調空間にいるユーザが運転変更命令の内容を把握できる。
【００２１】
第３の発明では、受信音が報知されたあとでメッセージが報知されるので、空気調和機から突然メッセージが報知されるのを防止できる。
【００２２】
第４の発明では、リモコンから運転設定が変更された場合に報知される受信音と、端末装置から運転設定が変更された場合に報知される受信音とが異なるので、受信音を聞いただけで、空気調和機の運転設定が端末装置によって変更されたものであることが分かる。したがって、端末装置から空気調和機の運転設定が変更されたことをより認識しやすい。
【００２３】
第５の発明では、端末装置から運転開始命令および運転停止命令の少なくとも一方が供給された場合にメッセージが報知されるので、空調空間にいるユーザが特に誤作動と勘違いしやすい運転開始動作や運転停止動作が、端末装置によって操作されたものと認識できる。
【００２４】
第６の発明では、ユーザが空調空間にいない場合に、メッセージが報知されるのを防止できるので、省エネできる。
【図面の簡単な説明】
【００２５】
【図１】本発明の実施形態にかかる空気調和機の冷媒回路を示す回路図である。
【図２】図１に示す空気調和機のブロック図である。
【図３】図１に示す空気調和機の動作を示すフローチャートである。
【発明を実施するための形態】
【００２６】
以下、本発明の実施形態に係る空気調和機１について説明する。
【００２７】
＜空気調和機の全体構成＞
図１に示すように、本実施形態の空気調和機１は、室内に設置される室内機２と、室外に設置される室外機３とを備えている。そして、空気調和機１は、圧縮機１０と、四方弁１１と、室外熱交換器１２と、膨張弁（減圧機構）１３と、室内熱交換器１４とを接続した冷媒回路を備えている。冷媒回路において、圧縮機１０の吐出口に四方弁１１を介して室外熱交換器１２が接続され、その室外熱交換器１２に膨張弁１３が接続される。そして、膨張弁１３に室内熱交換器１４の一端が接続され、その室内熱交換器１４の他端に四方弁１１を介して圧縮機１０の吸込口が接続される。
【００２８】
空気調和機１は、自動運転、冷房運転、暖房運転、除湿運転及び送風運転のいずれかの運転が可能であって、空気調和機１に付属されたリモコン４や、ユーザの端末装置５によって、いずれかの運転を選択して運転開始操作を行ったり、運転切換操作や運転停止操作を行ったりすることができる。ユーザの端末装置５は、例えばスマートフォンなどの液晶端末であって、ネットワークを介して、空気調和機１に対して運転変更命令（運転開始操作、運転停止操作、室内温度の設定温度等）を供給することができる。
【００２９】
冷房運転および除湿運転では、図示実線矢印で示すように、圧縮機１０から吐出された冷媒が四方弁１１から室外熱交換器１２、膨張弁１３、室内熱交換器１４へと順に流れ、室内熱交換器１４を経た冷媒が四方弁１１を通って圧縮機１０に戻る冷房サイクルまたは除湿サイクルが形成される。すなわち、室外熱交換器１２が凝縮器、室内熱交換器１４が蒸発器として機能する。
【００３０】
一方、暖房運転では、四方弁１１が切換わることにより、図示破線矢印で示すように、圧縮機１０から吐出される冷媒が四方弁１１から室内熱交換器１４、膨張弁１３、室外熱交換器１２へと順に流れ、室外熱交換器１２を経た冷媒が四方弁１１を通って圧縮機１０に戻る暖房サイクルが形成される。すなわち、室内熱交換器１４が凝縮器、室外熱交換器１２が蒸発器として機能する。
【００３１】
室内機２内には、室内熱交換器１４に対向した室内ファン１６が配置される。室内機２の吹出口には、上下方向について吹き出し方向を変更する上下フラップが配置される。そして、室内機２には、図１に示すように、例えば所定情報を音声で報知するスピーカー２０と、例えばＬＥＤ素子を有する表示部２１（表示装置）と、室内（空気調和機１が配置される空調空間）にいる人を検知する人検知センサ２５（人検知手段）とが設けられている。
【００３２】
図２に示すように、空気調和機１の制御部３０には、スピーカー２０と、表示部２１と、人検知センサ２５と、空気調和機１に付属されたリモコン４とが接続される。また、空気調和機１の制御部３０は、ユーザの端末装置５から供給された運転変更命令に基づいて、空気調和機１の運転を変更する。ユーザの端末装置５は、例えばスマートフォンなどの液晶端末であって、ネットワークを介して、空気調和機１に対して運転変更命令（運転開始操作、運転停止操作、室内温度の設定温度等）を供給することができる。したがって、制御部３０は、リモコン４やユーザの端末装置５からの指令（運転開始操作、運転停止操作、室内温度の設定温度等）に基づいて、空気調和機１の運転を制御する。このように、本実施形態の空気調和機１は、リモコン４から供給される運転変更命令（運転開始操作、運転停止操作、室内温度の設定温度等）に基づいて運転状態が変更されるだけでなく、ユーザの端末装置５から供給される運転変更命令（運転開始操作、運転停止操作、室内温度の設定温度等）に基づいて運転状態が変更されるものである。
【００３３】
ここで、リモコン４には、空気調和機１が有する各機能の設定を変更する設定操作部６（設定手段）が設けられている。
【００３４】
ユーザは、この設定操作部６を操作することによって、リモコン４から供給される運転変更命令（運転開始操作、運転停止操作、室内温度の設定温度等）に応答する応答報知を許可するか否かを選択できる。この応答報知は、音声応答報知と表示応答報知とに分かれる。音声応答報知には、例えばリモコン４から供給される運転変更命令の内容をメッセージで報知するメッセージ報知と、リモコン４から供給される運転変更命令に応答して、「ピッ」等の受信音を報知する受信音報知とが含まれる。メッセージ報知（音声応答報知）では、例えばリモコン４からの運転開始命令が供給される場合、運転開始命令に応答して、「運転が開始されました。」というメッセージがスピーカー２０から報知される。また、表示応答報知は、リモコン４から供給される運転変更命令に応答して、表示部２１（表示装置）のＬＥＤ素子を点灯させるものである。ユーザは、リモコン４の設定操作部６を操作することによって、メッセージ報知、受信音報知、および表示応答報知のそれぞれの設定を個別に許可するか否か（入／切）を選択できる。よって、ユーザが、メッセージ報知、受信音報知、および表示応答報知が煩わしいと感じる場合には、メッセージ報知、受信音報知、および表示応答報知の設定をそれぞれ切とできる。なお、この空気調和機１では、メッセージ報知の設定が入でも受信音報知の設定が切である場合には、受信音報知およびメッセージ報知が禁止され、リモコン４から運転変更命令が供給されても、受信音報知およびメッセージ報知が行われない。
【００３５】
空気調和機１の制御部３０は、ＣＰＵ、ＲＯＭ、ＲＡＭなどの複数のハードウェアから構成されている。ＲＯＭには、制御部３０の動作を制御する制御プログラムなどが格納されている。そして、この制御部３０は、図２に示すように、報知制御部３１（報知手段）を有する。
【００３６】
この報知制御部３１（報知手段）は、音声報知制御部３２（音声報知手段）と、表示報知制御部３３とを有する。音声報知制御部３２では、例えば空気調和機１に供給される運転変更命令の内容をメッセージで報知するメッセージ報知と、空気調和機１に供給される運転変更命令に応答して、「ピッ」等の受信音を報知する受信音報知とを行うことが可能である。また、表示報知制御部３３では、空気調和機１に供給される運転変更命令に応答して表示部２１のＬＥＤ素子を点灯させる表示応答報知を行うことが可能である。まず、音声報知制御部３２について詳しく説明する。
【００３７】
音声報知制御部３２は、スピーカー２０を介して受信音やメッセージを報知する。この音声報知制御部３２は、受信音報知およびメッセージ報知の設定がそれぞれ入の場合において、リモコン４から運転変更命令（運転開始操作、運転停止操作、室内温度の設定温度等）が供給されると、その運転変更命令に応答して、例えば「ピッ」、「ピピッ」などの受信音（第２受信音）を報知する。そして、受信音（第２受信音）を報知したあとで、リモコン４から供給される運転変更命令の内容をメッセージで報知する。例えば、リモコン４から運転開始命令が供給された場合、音声報知制御部３２は、「ピッ」という受信音（第２受信音）を報知したあとで、「運転が開始されました。」というメッセージを報知する。
【００３８】
一方、受信音報知の設定が入で且つメッセージ報知の設定が切の場合には、リモコン４から運転変更命令が供給されても、メッセージは報知されず、受信音（第２受信音）だけが報知される。また、受信音報知の設定が切の場合には、メッセージ報知の設定が入または切にかかわらず、リモコン４から運転変更命令が供給されても、受信音（第２受信音）およびメッセージは報知されない。
【００３９】
一方、音声報知制御部３２は、端末装置５から運転変更命令（運転開始操作、運転停止操作、室内温度の設定温度等）が供給されると、その運転変更命令に応答して、例えば「ピッ」、「ピピッ」などの受信音（第１受信音）を報知する。そして、受信音（第１受信音）を報知したあとで、端末装置５から運転変更命令が供給されたことをメッセージで報知するメッセージ報知を行う。端末装置５から運転変更命令が供給されたことを報知するメッセージとは、例えば「スマートフォンから操作されました。」というメッセージである。
【００４０】
特に、端末装置５からの運転変更命令が運転開始命令または運転停止命令である場合には、音声報知制御部３２は、その運転変更命令に応答して、例えば「ピッ」、「ピピッ」などの受信音（第１受信音）を報知したあとで、メッセージ報知として、端末装置５から運転変更命令が供給されたこと、およびその運転変更命令の内容を報知する。例えば、端末装置５から運転開始命令が供給された場合、音声報知制御部３２は、「ピッ」という受信音（第１受信音）を報知したあとで、「スマートフォンから操作されました。運転を開始します。」というメッセージを報知する。ここで、「スマートフォンから操作されました。」という部分が、端末装置５から運転変更命令が供給されたことを示すメッセージであり、「運転を開始します。」という部分が運転変更命令の内容を示すメッセージである。したがって、端末装置５からの運転変更命令が運転開始命令または運転停止命令である場合には、メッセージには、端末装置５から供給される運転変更命令の内容が含まれる。なお、端末装置５からの運転変更命令が運転開始命令および運転停止命令以外の命令（室内温度の設定温度、室内温度の設定湿度、風向、風量、冷房運転や暖房運転などの運転モードの変更等）である場合、音声報知制御部３２は、受信音（第１受信音）を報知したあとで、端末装置５から運転変更命令が供給されたことをメッセージで報知するが、その運転変更命令の内容までは報知しない。例えば、端末装置５から室内温度の設定温度変更命令が供給された場合、音声報知制御部３２は、「ピッ」という受信音（第１受信音）を報知したあとで、「スマートフォンから操作されました。」というメッセージのみを報知する。
【００４１】
なお、端末装置５から供給される運転変更命令に応答して報知される受信音（第１受信音）と、リモコン４から供給される運転変更命令に応答して報知される受信音（第２受信音）は同じである。また、音声報知制御部３２は、端末装置５から供給される全ての運転変更命令に応答して受信音報知およびメッセージ報知を行う。
【００４２】
表示報知制御部３３は、表示応答報知の設定が入の場合において、リモコン４から運転変更命令（運転開始操作、運転停止操作、室内温度の設定温度等）が供給されると、その運転変更命令に応答して、例えば所定時間ほど表示部２１のＬＥＤ素子を点灯させる表示応答報知を行う。一方、表示報知制御部３３は、表示応答報知の設定が切の場合には、リモコン４から運転変更命令が供給されても、表示部２１のＬＥＤ素子の点灯を行わない。なお、表示部２１のＬＥＤ素子の点灯には、表示部２１のＬＥＤ素子を点滅させることを含む。
【００４３】
また、表示報知制御部３３は、端末装置５から運転変更命令（運転開始操作、運転停止操作、室内温度の設定温度等）が供給されると、その運転変更命令に応答して、例えば所定時間ほど表示部２１のＬＥＤ素子を点灯させる表示応答報知を行う。なお、端末装置５から供給される運転変更命令に応答して行われる表示応答報知と、リモコン４から供給される運転変更命令に応答して行われる表示応答報知は、点灯時間、点滅回数などの全てが同じである。また、表示報知制御部３３は、端末装置５から供給される全ての運転変更命令に応答して表示応答報知を行う。
【００４４】
ここで、音声報知制御部３２は、リモコン４からの運転変更命令に基づくメッセージ報知が禁止されている場合において、端末装置５から運転変更命令が供給される場合には、メッセージ報知を行う。すなわち、リモコン４からの運転変更命令に基づくメッセージ報知が禁止されている場合であっても、端末装置５からの運転変更命令が運転開始命令または運転停止命令である場合には、端末装置５から運転変更命令が供給されたこと、およびその運転変更命令の内容をメッセージで報知する。また、リモコン４からの運転変更命令に基づくメッセージ報知が禁止されている場合であっても、端末装置５からの運転変更命令が運転開始命令および運転停止命令以外の命令である場合には、端末装置５から運転変更命令が供給されたことをメッセージで報知する。なお、リモコン４からの運転変更命令に基づくメッセージ報知が禁止されている場合とは、受信音報知の設定が切またはメッセージ報知の設定が切の場合である。
【００４５】
また、音声報知制御部３２は、リモコン４からの運転変更命令に基づく受信音報知が禁止されている場合（受信音報知の設定が切の場合）において、リモコン４と異なる端末装置５から運転変更命令が供給される場合には、受信音（第１受信音）を報知する受信音報知を行う。また、表示報知制御部３３は、リモコン４からの運転変更命令に基づく表示応答報知が禁止されている場合（表示応答報知の設定が切の場合）において、リモコン４と異なる端末装置５から運転変更命令が供給される場合には、表示部２１のＬＥＤ素子を点灯する表示応答報知を行う。
【００４６】
したがって、この空気調和機では、例えばリモコン４からの運転変更命令に基づくメッセージ報知が禁止されている場合において、端末装置５から運転変更命令が供給される場合には、端末装置５から運転変更命令が供給されたことがメッセージとして報知されるので、ユーザが端末装置５を用いて例えば外出先などから空気調和機１の運転設定を変更したときに、室内に別のユーザがいる場合でも、別のユーザは空気調和機１の運転設定が端末装置５によって変更されたものであると把握しやすい。また、この空気調和機では、例えばリモコン４からの運転変更命令に基づく表示応答報知が禁止されている場合において、端末装置５から運転変更命令が供給される場合には、表示応答報知が行われるので、ユーザが端末装置５を用いて例えば外出先などから空気調和機１の運転設定を変更したときに、室内に別のユーザがいる場合でも、別のユーザは空気調和機１の運転設定が端末装置５によって変更されたものであると把握しやすい。なお、本発明において、リモコン４からの運転変更命令に基づく音声応答報知が禁止されている場合とは、リモコン４からの運転変更命令に基づく受信音報知およびメッセージ報知が禁止されている場合を指す。
【００４７】
＜フロー＞
次に、図３を参照して空気調和機１の動作（フロー）について説明する。
【００４８】
まず、端末装置５から運転変更命令が供給されたか否かを判断し、運転変更命令が供給されるまでそれを繰り返す（Ｓ１）。運転変更命令が供給された場合（Ｓ１：Ｙｅｓ）、表示部２１を点灯させるとともに、受信音（第１受信音）を報知する（Ｓ２）。そして、受信音（第１受信音）が報知されたあとで、端末装置５から運転変更命令が供給されたことをメッセージで報知する（Ｓ３）。次に、表示部２１を点灯させてから所定時間が経過したか否かを判断し、所定時間が経過するまでそれを繰り返す（Ｓ４）。所定時間が経過した場合（Ｓ５：Ｙｅｓ）、表示部２１を消灯する。そして、ステップＳ１に戻る。
【００４９】
＜本実施形態の空気調和機の特徴＞
本実施形態の空気調和機１には、以下の特徴がある。
【００５０】
本実施形態の空気調和機１では、端末装置５（運転開始操作、運転停止操作、室内温度の設定温度等）から運転変更命令が供給されたことがメッセージで報知されるので、室内（空気調和機１が配置される空調空間）にいるユーザは、空気調和機１の運転設定が端末装置５によって変更されたものであることを認識できる。したがって、リモコン４と異なる端末装置５を用いて空気調和機１の運転設定が変更されたときに、その変更が空気調和機１の誤作動と勘違いされるのを防止できる。
【００５１】
また、本実施形態の空気調和機１では、メッセージが運転変更命令の内容を含むので、室内にいるユーザが運転変更命令の内容を把握できる。
【００５２】
また、本実施形態の空気調和機１では、受信音（第１受信音）が報知されたあとでメッセージが報知されるので、空気調和機１から突然メッセージが報知されるのを防止できる。
【００５３】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００５４】
［第１変形例］
次に、第１変形例にかかる空気調和機について説明する。上記実施形態では、端末装置５から供給される運転変更命令に応答して報知される受信音（第１受信音）と、リモコン４から供給される運転変更命令に応答して報知される受信音（第２受信音）とが同じであるが、第１変形例にかかる空気調和機では、第１受信音と第２受信音とが異なっている。例えば、第１受信音は「ピピッ」という受信音であるのに対し、第２受信音は「ピッ」という受信音である。
【００５５】
第１変形例にかかる空気調和機では、リモコン４から運転設定が変更された場合に報知される受信音（第２受信音）と、端末装置５から運転設定が変更された場合に報知される受信音（第１受信音）とが異なるので、受信音を聞いただけで、空気調和機の運転設定が端末装置５によって変更されたものであることが分かる。したがって、端末装置５から空気調和機の運転設定が変更されたことをより認識しやすい。
【００５６】
［第２変形例］
次に、第２変形例にかかる空気調和機について説明する。上記実施形態では、報知制御部３１は、端末装置５から供給される全ての運転変更命令に応答してメッセージを報知するが、第２変形例にかかる空気調和機では、端末装置５から供給される運転変更命令が運転開始命令または運転停止命令である場合にメッセージを報知し、その他の運転変更命令（室内温度の設定温度、室内温度の設定湿度、風向、風量、冷房運転や暖房運転などの運転モードの変更等）の場合には、メッセージを報知しない。
【００５７】
第２変形例にかかる空気調和機では、端末装置５から運転開始命令または運転停止命令が供給された場合にメッセージが報知されるので、室内にいる別のユーザが特に誤作動と勘違いしやすい運転開始動作または運転停止動作が、端末装置５によって操作されたものと認識できる。また、室内にいるユーザが誤作動と勘違いしにくい、その他の運転変更命令（室内温度の設定温度、室内温度の設定湿度、風向、風量、冷房運転や暖房運転などの運転モードの変更等）が供給されたときに、メッセージ報知がされる煩わしさを解消できる。
【００５８】
［第３変形例］
次に、第３変形例にかかる空気調和機について説明する。上記実施形態では、報知制御部３１は、室内（空気調和機１が配置される空調空間）に人がいるか否かにかかわらず、端末装置５から供給される全ての運転変更命令に応答してメッセージを報知するが、第３変形例にかかる空気調和機では、人検知センサ２５で人が検知される場合に、端末装置５から供給される運転変更命令に応答してメッセージを報知し、人検知センサ２５で人が検知されない場合には、端末装置５から供給される運転変更命令に応答してメッセージを報知しない。
【００５９】
第３変形例にかかる空気調和機では、ユーザが空調空間にいない場合に、メッセージが報知されるのを防止できるので、省エネできる。
【００６０】
［その他変形例］
上記実施形態では、端末装置５からの運転変更命令として運転開始命令および運転停止命令以外の命令（室内温度の設定温度、室内温度の設定湿度、風向、風量、冷房運転や暖房運転などの運転モードの変更等）が供給された場合には、その運転変更命令の内容は報知されないが、その運転変更命令の内容がメッセージとして報知されてもよい。例えば、上記実施形態では、端末装置５から室内温度の設定温度の変更命令が供給された場合に、「スマートフォンから操作されました。」としか報知されないが、「スマートフォンから操作されました。設定温度を変更します。」という運転変更命令の内容を含むメッセージが報知されてもよい。
【００６１】
また、上記実施形態では、報知制御部３１は、端末装置５から供給される全ての運転変更命令に応答してメッセージを報知するが、上記第２変形例に示すように、端末装置５から供給される運転変更命令が運転開始命令または運転停止命令である場合にメッセージを報知してもよいし、端末装置５から供給される運転変更命令が運転開始命令である場合にのみメッセージを報知してもよいし、端末装置５から供給される運転変更命令が運転停止命令である場合にのみメッセージを報知してもよい。
【００６２】
また、上記実施形態では、メッセージが、端末装置５から供給される運転変更命令の内容を含む場合があるが、含まなくてもよい。したがって、端末装置５から運転変更命令が供給された場合に、端末装置５から運転変更命令が供給されたことだけ（例えば「スマートフォンから操作されました。」だけ）をメッセージで報知してもよい。
【００６３】
また、上記実施形態では、端末装置５から運転変更命令が供給された場合に、受信音報知、メッセージ報知、および表示応答報知を行うが、メッセージ報知だけが行われてもよい。したがって、メッセージが報知される前に、受信音（第１受信音）が報知される必要はない。
【００６４】
また、上記実施形態では、リモコン４と異なる端末装置５として、ネットワークを介して空気調和機１に運転変更命令を供給できるものを挙げたが、ネットワークを介さずに空気調和機１に運転変更命令を供給できるものでもよい。
【産業上の利用可能性】
【００６５】
本発明を利用すれば、空気調和機に付属されたリモコンと異なる端末装置を用いて空気調和機の運転設定が変更されたときに、その変更が空気調和機の誤作動と勘違いされるのを防止できる。
【符号の説明】
【００６６】
１  空気調和機
４  リモコン
５  端末装置
２５  人検知センサ（人検知手段）
３２  音声報知制御部（音声報知手段）
【図１】
2015075305.tif 000003
【図２】
2015075305.tif 000004
【図３】
2015075305.tif 000005
【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
空気調和機に付属されたリモコンと異なる端末装置から供給される運転変更命令に基づいて、運転設定が変更され得る空気調和機であって、
所定情報を音声で報知する音声報知手段を備え、
前記音声報知手段は、
前記端末装置から供給される運転変更命令に応答して、その運転変更命令が前記端末装置に対する操作に基づくものであることをメッセージで報知することを特徴とする空気調和機。
【請求項２】
前記メッセージは、前記端末装置から供給される運転変更命令の内容を含むことを特徴とする請求項１に記載の空気調和機。
【請求項３】
前記音声報知手段は、
第１受信音を報知したあとで、前記メッセージを報知することを特徴とする請求項１または２に記載の空気調和機。
【請求項４】
前記音声報知手段は、前記リモコンから供給される運転変更命令に応答して、第２受信音を報知することが可能であり、
前記第１受信音と前記第２受信音とが異なることを特徴とする請求項３に記載の空気調和機。
【請求項５】
前記音声報知手段は、
前記端末装置から供給される運転変更命令が運転開始命令および運転停止命令の少なくとも一方である場合に、前記メッセージを報知することを特徴とする請求項１−４のいずれかに記載の空気調和機。
【請求項６】
空調空間にいる人を検知する人検知手段を備え、
前記音声報知手段は、
前記人検知手段で人が検知される場合に、前記メッセージを報知することを特徴とする請求項１−５のいずれかに記載の空気調和機。
【請求項７】
空気調和機に付属されたリモコンと異なる端末装置から供給される運転変更命令に基づいて、運転設定が変更され得る空気調和機であって、
所定情報を音声で報知する音声報知手段を備え、
前記音声報知手段は、
前記端末装置から供給される運転変更命令に応答して、第１受信音を報知したあとで、
前記端末装置から運転変更命令が供給されたことをメッセージで報知すると共に、
前記リモコンから供給される運転変更命令に応答して、第２受信音を報知することが可能であり、
前記第１受信音と前記第２受信音とが異なることを特徴とする空気調和機。
【手続補正２】
【補正対象書類名】明細書
【補正対象項目名】全文
【補正方法】変更
【補正の内容】
【発明の詳細な説明】
【技術分野】
【０００１】
本発明は、空気調和機に付属されたリモコンと異なる端末装置から供給される運転変更命令に基づいて、運転設定が変更され得る空気調和機に関するものである。
【背景技術】
【０００２】
従来の空気調和機として、空気調和機に付属されたリモコンと異なる携帯電話などの端末装置を用いて、外出先などから空気調和機の運転設定を変更できるものがある。
【先行技術文献】
【特許文献】
【０００３】
【特許文献１】特開２００２−２４３２４９号公報
【発明の概要】
【発明が解決しようとする課題】
【０００４】
しかし、上記の空気調和機では、端末装置を用いてユーザが外出先などから空気調和機の運転設定を変更したときに、空気調和機が配置される空調空間に別のユーザがいる場合、別のユーザが空気調和機が誤作動したと勘違いするおそれがある。
【０００５】
そこで、本発明の目的は、空気調和機に付属されたリモコンと異なる端末装置を用いて空気調和機の運転設定が変更されたときに、その変更が空気調和機の誤作動と勘違いされるのを防止できる空気調和機を提供することである。
【課題を解決するための手段】
【０００６】
第１の発明にかかる空気調和機は、空気調和機に付属されたリモコンと異なる端末装置から供給される運転変更命令に基づいて、運転設定が変更され得る空気調和機であって、  所定情報を音声で報知する音声報知手段を備え、前記音声報知手段は、前記端末装置から供給される運転変更命令に応答して、その運転変更命令が前記端末装置に対する操作に基づくものであることをメッセージで報知することを特徴とする。
【０００７】
この空気調和機では、端末装置から運転変更命令が供給されたときに、その運転変更命令が端末装置に対する操作に基づくものであることがメッセージで報知されるので、空調空間にいるユーザは空気調和機の運転設定が端末装置によって変更されたものであることを認識できる。したがって、リモコンと異なる端末装置を用いて空気調和機の運転設定が変更されたときに、その変更が空気調和機の誤作動と勘違いされるのを防止できる。
【０００８】
第２の発明にかかる空気調和機は、第１の発明にかかる空気調和機において、前記メッセージは、前記端末装置から供給される運転変更命令の内容を含むことを特徴とする。
【０００９】
この空気調和機では、メッセージが運転変更命令の内容を含むので、空調空間にいるユーザが運転変更命令の内容を把握できる。
【００１０】
第３の発明にかかる空気調和機は、第１または第２の発明にかかる空気調和機において、前記音声報知手段は、第１受信音を報知したあとで、前記メッセージを報知することを特徴とする。
【００１１】
この空気調和機では、受信音が報知されたあとでメッセージが報知されるので、空気調和機から突然メッセージが報知されるのを防止できる。
【００１２】
第４の発明にかかる空気調和機は、第３の発明にかかる空気調和機において、前記音声報知手段は、前記リモコンから供給される運転変更命令に応答して、第２受信音を報知することが可能であり、前記第１受信音と前記第２受信音とが異なることを特徴とする。
【００１３】
この空気調和機では、リモコンから運転設定が変更された場合に報知される受信音と、端末装置から運転設定が変更された場合に報知される受信音とが異なるので、受信音を聞いただけで、空気調和機の運転設定が端末装置によって変更されたものであることが分かる。したがって、端末装置から空気調和機の運転設定が変更されたことをより認識しやすい。
【００１４】
第５の発明にかかる空気調和機は、第１−第４のいずれかの発明にかかる空気調和機において、前記音声報知手段は、前記端末装置から供給される運転変更命令が運転開始命令および運転停止命令の少なくとも一方である場合に、前記メッセージを報知することを特徴とする。
【００１５】
この空気調和機では、端末装置から運転開始命令および運転停止命令の少なくとも一方が供給された場合にメッセージが報知されるので、空調空間にいるユーザが特に誤作動と勘違いしやすい運転開始動作や運転停止動作が、端末装置によって操作されたものと認識できる。
【００１６】
第６の発明にかかる空気調和機は、第１−第５のいずれかの発明にかかる空気調和機において、空調空間にいる人を検知する人検知手段を備え、前記音声報知手段は、前記人検知手段で人が検知される場合に、前記メッセージを報知することを特徴とする。
【００１７】
この空気調和機では、ユーザが空調空間にいない場合に、メッセージが報知されるのを防止できるので、省エネできる。
第７の発明にかかる空気調機は、空気調和機に付属されたリモコンと異なる端末装置から供給される運転変更命令に基づいて、運転設定が変更され得る空気調和機であって、所定情報を音声で報知する音声報知手段を備え、前記音声報知手段は、前記端末装置から供給される運転変更命令に応答して、第１受信音を報知したあとで、前記端末装置から運転変更命令が供給されたことをメッセージで報知すると共に、前記リモコンから供給される運転変更命令に応答して、第２受信音を報知することが可能であり、前記第１受信音と前記第２受信音とが異なることを特徴とする。
この空気調和機では、端末装置から運転変更命令が供給されたことがメッセージで報知されるので、空調空間にいるユーザは空気調和機の運転設定が端末装置によって変更されたものであることを認識できる。したがって、リモコンと異なる端末装置を用いて空気調和機の運転設定が変更されたときに、その変更が空気調和機の誤作動と勘違いされるのを防止できる。
この空気調和機では、受信音が報知されたあとでメッセージが報知されるので、空気調和機から突然メッセージが報知されるのを防止できる。
この空気調和機では、リモコンから運転設定が変更された場合に報知される受信音と、端末装置から運転設定が変更された場合に報知される受信音とが異なるので、受信音を聞いただけで、空気調和機の運転設定が端末装置によって変更されたものであることが分かる。したがって、端末装置から空気調和機の運転設定が変更されたことをより認識しやすい。
【発明の効果】
【００１８】
以上の説明に述べたように、本発明によれば、以下の効果が得られる。
【００１９】
第１の発明では、端末装置から運転変更命令が供給されたことがメッセージで報知されるので、空調空間にいるユーザは空気調和機の運転設定が端末装置によって変更されたものであることを認識できる。したがって、リモコンと異なる端末装置を用いて空気調和機の運転設定が変更されたときに、その変更が空気調和機の誤作動と勘違いされるのを防止できる。
【００２０】
第２の発明では、メッセージが運転変更命令の内容を含むので、空調空間にいるユーザが運転変更命令の内容を把握できる。
【００２１】
第３の発明では、受信音が報知されたあとでメッセージが報知されるので、空気調和機から突然メッセージが報知されるのを防止できる。
【００２２】
第４の発明では、リモコンから運転設定が変更された場合に報知される受信音と、端末装置から運転設定が変更された場合に報知される受信音とが異なるので、受信音を聞いただけで、空気調和機の運転設定が端末装置によって変更されたものであることが分かる。したがって、端末装置から空気調和機の運転設定が変更されたことをより認識しやすい。
【００２３】
第５の発明では、端末装置から運転開始命令および運転停止命令の少なくとも一方が供給された場合にメッセージが報知されるので、空調空間にいるユーザが特に誤作動と勘違いしやすい運転開始動作や運転停止動作が、端末装置によって操作されたものと認識できる。
【００２４】
第６の発明では、ユーザが空調空間にいない場合に、メッセージが報知されるのを防止できるので、省エネできる。
第７の発明では、端末装置から運転変更命令が供給されたことがメッセージで報知されるので、空調空間にいるユーザは空気調和機の運転設定が端末装置によって変更されたものであることを認識できる。したがって、リモコンと異なる端末装置を用いて空気調和機の運転設定が変更されたときに、その変更が空気調和機の誤作動と勘違いされるのを防止できる。
第７の発明では、受信音が報知されたあとでメッセージが報知されるので、空気調和機から突然メッセージが報知されるのを防止できる。
この第７の発明では、リモコンから運転設定が変更された場合に報知される受信音と、端末装置から運転設定が変更された場合に報知される受信音とが異なるので、受信音を聞いただけで、空気調和機の運転設定が端末装置によって変更されたものであることが分かる。したがって、端末装置から空気調和機の運転設定が変更されたことをより認識しやすい。
【図面の簡単な説明】
【００２５】
【図１】本発明の実施形態にかかる空気調和機の冷媒回路を示す回路図である。
【図２】図１に示す空気調和機のブロック図である。
【図３】図１に示す空気調和機の動作を示すフローチャートである。
【発明を実施するための形態】
【００２６】
以下、本発明の実施形態に係る空気調和機１について説明する。
【００２７】
＜空気調和機の全体構成＞
図１に示すように、本実施形態の空気調和機１は、室内に設置される室内機２と、室外に設置される室外機３とを備えている。そして、空気調和機１は、圧縮機１０と、四方弁１１と、室外熱交換器１２と、膨張弁（減圧機構）１３と、室内熱交換器１４とを接続した冷媒回路を備えている。冷媒回路において、圧縮機１０の吐出口に四方弁１１を介して室外熱交換器１２が接続され、その室外熱交換器１２に膨張弁１３が接続される。そして、膨張弁１３に室内熱交換器１４の一端が接続され、その室内熱交換器１４の他端に四方弁１１を介して圧縮機１０の吸込口が接続される。
【００２８】
空気調和機１は、自動運転、冷房運転、暖房運転、除湿運転及び送風運転のいずれかの運転が可能であって、空気調和機１に付属されたリモコン４や、ユーザの端末装置５によって、いずれかの運転を選択して運転開始操作を行ったり、運転切換操作や運転停止操作を行ったりすることができる。ユーザの端末装置５は、例えばスマートフォンなどの液晶端末であって、ネットワークを介して、空気調和機１に対して運転変更命令（運転開始操作、運転停止操作、室内温度の設定温度等）を供給することができる。
【００２９】
冷房運転および除湿運転では、図示実線矢印で示すように、圧縮機１０から吐出された冷媒が四方弁１１から室外熱交換器１２、膨張弁１３、室内熱交換器１４へと順に流れ、室内熱交換器１４を経た冷媒が四方弁１１を通って圧縮機１０に戻る冷房サイクルまたは除湿サイクルが形成される。すなわち、室外熱交換器１２が凝縮器、室内熱交換器１４が蒸発器として機能する。
【００３０】
一方、暖房運転では、四方弁１１が切換わることにより、図示破線矢印で示すように、圧縮機１０から吐出される冷媒が四方弁１１から室内熱交換器１４、膨張弁１３、室外熱交換器１２へと順に流れ、室外熱交換器１２を経た冷媒が四方弁１１を通って圧縮機１０に戻る暖房サイクルが形成される。すなわち、室内熱交換器１４が凝縮器、室外熱交換器１２が蒸発器として機能する。
【００３１】
室内機２内には、室内熱交換器１４に対向した室内ファン１６が配置される。室内機２の吹出口には、上下方向について吹き出し方向を変更する上下フラップが配置される。そして、室内機２には、図１に示すように、例えば所定情報を音声で報知するスピーカー２０と、例えばＬＥＤ素子を有する表示部２１（表示装置）と、室内（空気調和機１が配置される空調空間）にいる人を検知する人検知センサ２５（人検知手段）とが設けられている。
【００３２】
図２に示すように、空気調和機１の制御部３０には、スピーカー２０と、表示部２１と、人検知センサ２５と、空気調和機１に付属されたリモコン４とが接続される。また、空気調和機１の制御部３０は、ユーザの端末装置５から供給された運転変更命令に基づいて、空気調和機１の運転を変更する。ユーザの端末装置５は、例えばスマートフォンなどの液晶端末であって、ネットワークを介して、空気調和機１に対して運転変更命令（運転開始操作、運転停止操作、室内温度の設定温度等）を供給することができる。したがって、制御部３０は、リモコン４やユーザの端末装置５からの指令（運転開始操作、運転停止操作、室内温度の設定温度等）に基づいて、空気調和機１の運転を制御する。このように、本実施形態の空気調和機１は、リモコン４から供給される運転変更命令（運転開始操作、運転停止操作、室内温度の設定温度等）に基づいて運転状態が変更されるだけでなく、ユーザの端末装置５から供給される運転変更命令（運転開始操作、運転停止操作、室内温度の設定温度等）に基づいて運転状態が変更されるものである。
【００３３】
ここで、リモコン４には、空気調和機１が有する各機能の設定を変更する設定操作部６（設定手段）が設けられている。
【００３４】
ユーザは、この設定操作部６を操作することによって、リモコン４から供給される運転変更命令（運転開始操作、運転停止操作、室内温度の設定温度等）に応答する応答報知を許可するか否かを選択できる。この応答報知は、音声応答報知と表示応答報知とに分かれる。音声応答報知には、例えばリモコン４から供給される運転変更命令の内容をメッセージで報知するメッセージ報知と、リモコン４から供給される運転変更命令に応答して、「ピッ」等の受信音を報知する受信音報知とが含まれる。メッセージ報知（音声応答報知）では、例えばリモコン４からの運転開始命令が供給される場合、運転開始命令に応答して、「運転が開始されました。」というメッセージがスピーカー２０から報知される。また、表示応答報知は、リモコン４から供給される運転変更命令に応答して、表示部２１（表示装置）のＬＥＤ素子を点灯させるものである。ユーザは、リモコン４の設定操作部６を操作することによって、メッセージ報知、受信音報知、および表示応答報知のそれぞれの設定を個別に許可するか否か（入／切）を選択できる。よって、ユーザが、メッセージ報知、受信音報知、および表示応答報知が煩わしいと感じる場合には、メッセージ報知、受信音報知、および表示応答報知の設定をそれぞれ切とできる。なお、この空気調和機１では、メッセージ報知の設定が入でも受信音報知の設定が切である場合には、受信音報知およびメッセージ報知が禁止され、リモコン４から運転変更命令が供給されても、受信音報知およびメッセージ報知が行われない。
【００３５】
空気調和機１の制御部３０は、ＣＰＵ、ＲＯＭ、ＲＡＭなどの複数のハードウェアから構成されている。ＲＯＭには、制御部３０の動作を制御する制御プログラムなどが格納されている。そして、この制御部３０は、図２に示すように、報知制御部３１（報知手段）を有する。
【００３６】
この報知制御部３１（報知手段）は、音声報知制御部３２（音声報知手段）と、表示報知制御部３３とを有する。音声報知制御部３２では、例えば空気調和機１に供給される運転変更命令の内容をメッセージで報知するメッセージ報知と、空気調和機１に供給される運転変更命令に応答して、「ピッ」等の受信音を報知する受信音報知とを行うことが可能である。また、表示報知制御部３３では、空気調和機１に供給される運転変更命令に応答して表示部２１のＬＥＤ素子を点灯させる表示応答報知を行うことが可能である。まず、音声報知制御部３２について詳しく説明する。
【００３７】
音声報知制御部３２は、スピーカー２０を介して受信音やメッセージを報知する。この音声報知制御部３２は、受信音報知およびメッセージ報知の設定がそれぞれ入の場合において、リモコン４から運転変更命令（運転開始操作、運転停止操作、室内温度の設定温度等）が供給されると、その運転変更命令に応答して、例えば「ピッ」、「ピピッ」などの受信音（第２受信音）を報知する。そして、受信音（第２受信音）を報知したあとで、リモコン４から供給される運転変更命令の内容をメッセージで報知する。例えば、リモコン４から運転開始命令が供給された場合、音声報知制御部３２は、「ピッ」という受信音（第２受信音）を報知したあとで、「運転が開始されました。」というメッセージを報知する。
【００３８】
一方、受信音報知の設定が入で且つメッセージ報知の設定が切の場合には、リモコン４から運転変更命令が供給されても、メッセージは報知されず、受信音（第２受信音）だけが報知される。また、受信音報知の設定が切の場合には、メッセージ報知の設定が入または切にかかわらず、リモコン４から運転変更命令が供給されても、受信音（第２受信音）およびメッセージは報知されない。
【００３９】
一方、音声報知制御部３２は、端末装置５から運転変更命令（運転開始操作、運転停止操作、室内温度の設定温度等）が供給されると、その運転変更命令に応答して、例えば「ピッ」、「ピピッ」などの受信音（第１受信音）を報知する。そして、受信音（第１受信音）を報知したあとで、端末装置５から運転変更命令が供給されたことをメッセージで報知するメッセージ報知を行う。端末装置５から運転変更命令が供給されたことを報知するメッセージとは、例えば「スマートフォンから操作されました。」というメッセージである。
【００４０】
特に、端末装置５からの運転変更命令が運転開始命令または運転停止命令である場合には、音声報知制御部３２は、その運転変更命令に応答して、例えば「ピッ」、「ピピッ」などの受信音（第１受信音）を報知したあとで、メッセージ報知として、端末装置５から運転変更命令が供給されたこと、およびその運転変更命令の内容を報知する。例えば、端末装置５から運転開始命令が供給された場合、音声報知制御部３２は、「ピッ」という受信音（第１受信音）を報知したあとで、「スマートフォンから操作されました。運転を開始します。」というメッセージを報知する。ここで、「スマートフォンから操作されました。」という部分が、端末装置５から運転変更命令が供給されたことを示すメッセージであり、「運転を開始します。」という部分が運転変更命令の内容を示すメッセージである。したがって、端末装置５からの運転変更命令が運転開始命令または運転停止命令である場合には、メッセージには、端末装置５から供給される運転変更命令の内容が含まれる。なお、端末装置５からの運転変更命令が運転開始命令および運転停止命令以外の命令（室内温度の設定温度、室内温度の設定湿度、風向、風量、冷房運転や暖房運転などの運転モードの変更等）である場合、音声報知制御部３２は、受信音（第１受信音）を報知したあとで、端末装置５から運転変更命令が供給されたことをメッセージで報知するが、その運転変更命令の内容までは報知しない。例えば、端末装置５から室内温度の設定温度変更命令が供給された場合、音声報知制御部３２は、「ピッ」という受信音（第１受信音）を報知したあとで、「スマートフォンから操作されました。」というメッセージのみを報知する。
【００４１】
なお、端末装置５から供給される運転変更命令に応答して報知される受信音（第１受信音）と、リモコン４から供給される運転変更命令に応答して報知される受信音（第２受信音）は同じである。また、音声報知制御部３２は、端末装置５から供給される全ての運転変更命令に応答して受信音報知およびメッセージ報知を行う。
【００４２】
表示報知制御部３３は、表示応答報知の設定が入の場合において、リモコン４から運転変更命令（運転開始操作、運転停止操作、室内温度の設定温度等）が供給されると、その運転変更命令に応答して、例えば所定時間ほど表示部２１のＬＥＤ素子を点灯させる表示応答報知を行う。一方、表示報知制御部３３は、表示応答報知の設定が切の場合には、リモコン４から運転変更命令が供給されても、表示部２１のＬＥＤ素子の点灯を行わない。なお、表示部２１のＬＥＤ素子の点灯には、表示部２１のＬＥＤ素子を点滅させることを含む。
【００４３】
また、表示報知制御部３３は、端末装置５から運転変更命令（運転開始操作、運転停止操作、室内温度の設定温度等）が供給されると、その運転変更命令に応答して、例えば所定時間ほど表示部２１のＬＥＤ素子を点灯させる表示応答報知を行う。なお、端末装置５から供給される運転変更命令に応答して行われる表示応答報知と、リモコン４から供給される運転変更命令に応答して行われる表示応答報知は、点灯時間、点滅回数などの全てが同じである。また、表示報知制御部３３は、端末装置５から供給される全ての運転変更命令に応答して表示応答報知を行う。
【００４４】
ここで、音声報知制御部３２は、リモコン４からの運転変更命令に基づくメッセージ報知が禁止されている場合において、端末装置５から運転変更命令が供給される場合には、メッセージ報知を行う。すなわち、リモコン４からの運転変更命令に基づくメッセージ報知が禁止されている場合であっても、端末装置５からの運転変更命令が運転開始命令または運転停止命令である場合には、端末装置５から運転変更命令が供給されたこと、およびその運転変更命令の内容をメッセージで報知する。また、リモコン４からの運転変更命令に基づくメッセージ報知が禁止されている場合であっても、端末装置５からの運転変更命令が運転開始命令および運転停止命令以外の命令である場合には、端末装置５から運転変更命令が供給されたことをメッセージで報知する。なお、リモコン４からの運転変更命令に基づくメッセージ報知が禁止されている場合とは、受信音報知の設定が切またはメッセージ報知の設定が切の場合である。
【００４５】
また、音声報知制御部３２は、リモコン４からの運転変更命令に基づく受信音報知が禁止されている場合（受信音報知の設定が切の場合）において、リモコン４と異なる端末装置５から運転変更命令が供給される場合には、受信音（第１受信音）を報知する受信音報知を行う。また、表示報知制御部３３は、リモコン４からの運転変更命令に基づく表示応答報知が禁止されている場合（表示応答報知の設定が切の場合）において、リモコン４と異なる端末装置５から運転変更命令が供給される場合には、表示部２１のＬＥＤ素子を点灯する表示応答報知を行う。
【００４６】
したがって、この空気調和機では、例えばリモコン４からの運転変更命令に基づくメッセージ報知が禁止されている場合において、端末装置５から運転変更命令が供給される場合には、端末装置５から運転変更命令が供給されたことがメッセージとして報知されるので、ユーザが端末装置５を用いて例えば外出先などから空気調和機１の運転設定を変更したときに、室内に別のユーザがいる場合でも、別のユーザは空気調和機１の運転設定が端末装置５によって変更されたものであると把握しやすい。また、この空気調和機では、例えばリモコン４からの運転変更命令に基づく表示応答報知が禁止されている場合において、端末装置５から運転変更命令が供給される場合には、表示応答報知が行われるので、ユーザが端末装置５を用いて例えば外出先などから空気調和機１の運転設定を変更したときに、室内に別のユーザがいる場合でも、別のユーザは空気調和機１の運転設定が端末装置５によって変更されたものであると把握しやすい。なお、本発明において、リモコン４からの運転変更命令に基づく音声応答報知が禁止されている場合とは、リモコン４からの運転変更命令に基づく受信音報知およびメッセージ報知が禁止されている場合を指す。
【００４７】
＜フロー＞
次に、図３を参照して空気調和機１の動作（フロー）について説明する。
【００４８】
まず、端末装置５から運転変更命令が供給されたか否かを判断し、運転変更命令が供給されるまでそれを繰り返す（Ｓ１）。運転変更命令が供給された場合（Ｓ１：Ｙｅｓ）、表示部２１を点灯させるとともに、受信音（第１受信音）を報知する（Ｓ２）。そして、受信音（第１受信音）が報知されたあとで、端末装置５から運転変更命令が供給されたことをメッセージで報知する（Ｓ３）。次に、表示部２１を点灯させてから所定時間が経過したか否かを判断し、所定時間が経過するまでそれを繰り返す（Ｓ４）。所定時間が経過した場合（Ｓ５：Ｙｅｓ）、表示部２１を消灯する。そして、ステップＳ１に戻る。
【００４９】
＜本実施形態の空気調和機の特徴＞
本実施形態の空気調和機１には、以下の特徴がある。
【００５０】
本実施形態の空気調和機１では、端末装置５（運転開始操作、運転停止操作、室内温度の設定温度等）から運転変更命令が供給されたことがメッセージで報知されるので、室内（空気調和機１が配置される空調空間）にいるユーザは、空気調和機１の運転設定が端末装置５によって変更されたものであることを認識できる。したがって、リモコン４と異なる端末装置５を用いて空気調和機１の運転設定が変更されたときに、その変更が空気調和機１の誤作動と勘違いされるのを防止できる。
【００５１】
また、本実施形態の空気調和機１では、メッセージが運転変更命令の内容を含むので、室内にいるユーザが運転変更命令の内容を把握できる。
【００５２】
また、本実施形態の空気調和機１では、受信音（第１受信音）が報知されたあとでメッセージが報知されるので、空気調和機１から突然メッセージが報知されるのを防止できる。
【００５３】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００５４】
［第１変形例］
次に、第１変形例にかかる空気調和機について説明する。上記実施形態では、端末装置５から供給される運転変更命令に応答して報知される受信音（第１受信音）と、リモコン４から供給される運転変更命令に応答して報知される受信音（第２受信音）とが同じであるが、第１変形例にかかる空気調和機では、第１受信音と第２受信音とが異なっている。例えば、第１受信音は「ピピッ」という受信音であるのに対し、第２受信音は「ピッ」という受信音である。
【００５５】
第１変形例にかかる空気調和機では、リモコン４から運転設定が変更された場合に報知される受信音（第２受信音）と、端末装置５から運転設定が変更された場合に報知される受信音（第１受信音）とが異なるので、受信音を聞いただけで、空気調和機の運転設定が端末装置５によって変更されたものであることが分かる。したがって、端末装置５から空気調和機の運転設定が変更されたことをより認識しやすい。
【００５６】
［第２変形例］
次に、第２変形例にかかる空気調和機について説明する。上記実施形態では、報知制御部３１は、端末装置５から供給される全ての運転変更命令に応答してメッセージを報知するが、第２変形例にかかる空気調和機では、端末装置５から供給される運転変更命令が運転開始命令または運転停止命令である場合にメッセージを報知し、その他の運転変更命令（室内温度の設定温度、室内温度の設定湿度、風向、風量、冷房運転や暖房運転などの運転モードの変更等）の場合には、メッセージを報知しない。
【００５７】
第２変形例にかかる空気調和機では、端末装置５から運転開始命令または運転停止命令が供給された場合にメッセージが報知されるので、室内にいる別のユーザが特に誤作動と勘違いしやすい運転開始動作または運転停止動作が、端末装置５によって操作されたものと認識できる。また、室内にいるユーザが誤作動と勘違いしにくい、その他の運転変更命令（室内温度の設定温度、室内温度の設定湿度、風向、風量、冷房運転や暖房運転などの運転モードの変更等）が供給されたときに、メッセージ報知がされる煩わしさを解消できる。
【００５８】
［第３変形例］
次に、第３変形例にかかる空気調和機について説明する。上記実施形態では、報知制御部３１は、室内（空気調和機１が配置される空調空間）に人がいるか否かにかかわらず、端末装置５から供給される全ての運転変更命令に応答してメッセージを報知するが、第３変形例にかかる空気調和機では、人検知センサ２５で人が検知される場合に、端末装置５から供給される運転変更命令に応答してメッセージを報知し、人検知センサ２５で人が検知されない場合には、端末装置５から供給される運転変更命令に応答してメッセージを報知しない。
【００５９】
第３変形例にかかる空気調和機では、ユーザが空調空間にいない場合に、メッセージが報知されるのを防止できるので、省エネできる。
【００６０】
［その他変形例］
上記実施形態では、端末装置５からの運転変更命令として運転開始命令および運転停止命令以外の命令（室内温度の設定温度、室内温度の設定湿度、風向、風量、冷房運転や暖房運転などの運転モードの変更等）が供給された場合には、その運転変更命令の内容は報知されないが、その運転変更命令の内容がメッセージとして報知されてもよい。例えば、上記実施形態では、端末装置５から室内温度の設定温度の変更命令が供給された場合に、「スマートフォンから操作されました。」としか報知されないが、「スマートフォンから操作されました。設定温度を変更します。」という運転変更命令の内容を含むメッセージが報知されてもよい。
【００６１】
また、上記実施形態では、報知制御部３１は、端末装置５から供給される全ての運転変更命令に応答してメッセージを報知するが、上記第２変形例に示すように、端末装置５から供給される運転変更命令が運転開始命令または運転停止命令である場合にメッセージを報知してもよいし、端末装置５から供給される運転変更命令が運転開始命令である場合にのみメッセージを報知してもよいし、端末装置５から供給される運転変更命令が運転停止命令である場合にのみメッセージを報知してもよい。
【００６２】
また、上記実施形態では、メッセージが、端末装置５から供給される運転変更命令の内容を含む場合があるが、含まなくてもよい。したがって、端末装置５から運転変更命令が供給された場合に、端末装置５から運転変更命令が供給されたことだけ（例えば「スマートフォンから操作されました。」だけ）をメッセージで報知してもよい。
【００６３】
また、上記実施形態では、端末装置５から運転変更命令が供給された場合に、受信音報知、メッセージ報知、および表示応答報知を行うが、メッセージ報知だけが行われてもよい。したがって、メッセージが報知される前に、受信音（第１受信音）が報知される必要はない。
【００６４】
また、上記実施形態では、リモコン４と異なる端末装置５として、ネットワークを介して空気調和機１に運転変更命令を供給できるものを挙げたが、ネットワークを介さずに空気調和機１に運転変更命令を供給できるものでもよい。
【産業上の利用可能性】
【００６５】
本発明を利用すれば、空気調和機に付属されたリモコンと異なる端末装置を用いて空気調和機の運転設定が変更されたときに、その変更が空気調和機の誤作動と勘違いされるのを防止できる。
【符号の説明】
【００６６】
１  空気調和機
４  リモコン
５  端末装置
２５  人検知センサ（人検知手段）
３２  音声報知制御部（音声報知手段）